(57)【要約】【課題】簡易な構成を備える安全な浄化装置を提供する。【解決手段】浄化装置は、オゾン生成作用を有する波長の紫外線と殺菌作用を有する波長の紫外線とを放射する紫外線ランプ４１と、紫外線ランプ４１が内部の収容空間に収容される収容部４３とを備える。収容部４３は、殺菌作用を有する波長の紫外線を透過させる透過部を含む。酸素導入部５０から収容空間に供給される気体に酸素が含まれるので、紫外線ランプ４１が放射する紫外線のオゾン生成作用により収容空間でオゾンが生成される。収容空間で生成されたオゾンはオゾン排出部５１から排出される。【選択図】図２
2013103184.tif 000002
【特許請求の範囲】
【請求項１】
オゾン生成作用を有する波長の紫外線と殺菌作用を有する波長の紫外線とを放射する紫外線ランプと、
前記殺菌作用を有する波長の紫外線を透過させる透過部を含み、前記紫外線ランプが内部の収容空間に収容される収容部と、
酸素を含む気体を前記収容空間に供給する給気口を前記収容部に形成する給気部と、
前記紫外線ランプが放射する紫外線のオゾン生成作用により前記収容空間で生成されるオゾンを排出する排出口を前記収容部に形成する排気部とを備える
ことを特徴とする浄化装置。
【請求項２】
前記紫外線ランプは金属蒸気を封入した放電ランプである
ことを特徴とする請求項１に記載の浄化装置。
【請求項３】
前記紫外線ランプは冷陰極ランプである
ことを特徴とする請求項２に記載の浄化装置。
【請求項４】
前記紫外線ランプが有する放電管の材料又は前記透過部の材料は、合成石英、溶融石英、オゾンレス石英、又は、Ａｌ、Ｎａ、Ｋ、Ｌｉ、Ｃａ及びＢａの少なくとも１つを含むホウケイ酸ガラスである
ことを特徴とする請求項１から３のいずれか１項に記載の浄化装置。
【請求項５】
浄化対象物が配置され又は流動する浄化空間を形成する浄化容器をさらに備え、
前記透過部は前記浄化空間に配置される
ことを特徴とする請求項１から４のいずれか１項に記載の浄化装置。
【請求項６】
前記排気部から排出されたオゾンを前記浄化空間に放出するオゾン放出部を備え、
前記浄化容器は、分離された第１室及び第２室と、当該第１室及び第２室を連通する流動路とを含む浄化空間を形成し、
前記オゾン放出部は前記第１室に設けられ、
前記紫外線ランプ及び前記収容部の前記透過部は前記第２室に設けられる
ことを特徴とする請求項５に記載の浄化装置。
【請求項７】
前記オゾン放出部は、前記排気部から排出されたオゾンを気泡にして、前記浄化空間に放出するエアストーン又はマイクロバブル発生装置を備える
ことを特徴とする請求項６に記載の浄化装置。
【請求項８】
前記浄化容器は、
前記第１室と外部とを連通する連通部と、
前記連通部に設けられ、オゾンを分解するフィルタとを備える
ことを特徴とする請求項６又は７に記載の浄化装置。
【請求項９】
前記浄化容器は、
前記浄化対象物である流体を外部から前記第１室に流入させる流入部と、
前記流体を前記第２室から外部へ流出させる流出部とを備える
ことを特徴とする請求項６から８のいずれか１項に記載の浄化装置。
【請求項１０】
前記収容部の周囲に設けられており、紫外線又は可視光が照射されることによって光触媒反応が発現する光触媒部材をさらに備える
ことを特徴とする請求項１から９のいずれか１項に記載の浄化装置。
【請求項１１】
前記光触媒部材は酸化チタン材料を表面に含む
ことを特徴とする請求項１０に記載の浄化装置。
【発明の詳細な説明】
【技術分野】
【０００１】
本発明は、浄化装置に関する。
【背景技術】
【０００２】
植物工場などで水耕栽培に利用する養液（培養液）をオゾン、紫外線及び光触媒の働きによって除菌浄化する養液栽培システムが提案されている（例えば、特許文献１参照）。特許文献１に記載の養液栽培システムは、養液を除菌浄化する除菌浄化ユニットを備える。除菌浄化ユニットは電極を備え、高圧電源によって電極を高圧に帯電させて無声放電を発生させ、放電区間を気体が通過することで除菌浄化ユニット内でオゾンを発生させる。
【先行技術文献】
【特許文献】
【０００３】
【特許文献１】特開２００９−２４７３０３号公報
【発明の概要】
【発明が解決しようとする課題】
【０００４】
しかしながら、無声放電方式でオゾンを発生させると、大気を原料とした場合には人体に有害なＮＯＸが発生し、酸素を原料とした場合には装置が複雑化するという問題がある。
【０００５】
さらに、引用文献１の養液栽培システムは、放電区間に気体を通過させるための流路を形成し、また紫外線光源を備えるなどのために、その構成が複雑であるという問題もある。
【０００６】
本発明は、上記の実情に鑑みてなされたものであり、簡易な構成を備える安全な浄化装置を提供することを目的とする。
【課題を解決するための手段】
【０００７】
上記の目的を達成するため、本発明に係る浄化装置は、
オゾン生成作用を有する波長の紫外線と殺菌作用を有する波長の紫外線とを放射する紫外線ランプと、
前記殺菌作用を有する波長の紫外線を透過させる透過部を含み、前記紫外線ランプが内部の収容空間に収容される収容部と、
酸素を含む気体を前記収容空間に供給する給気口を前記収容部に形成する給気部と、
前記紫外線ランプが放射する紫外線のオゾン生成作用により前記収容空間で生成されるオゾンを排出する排出口を前記収容部に形成する排出部とを備えることを特徴とする。
【発明の効果】
【０００８】
本発明によれば、酸素が供給される収容空間に紫外線ランプのオゾン生成作用を有する波長の紫外線が放射される。これにより、ＮＯＸを発生させることなく収容空間でオゾンが生成される。また、紫外線ランプの殺菌作用を有する波長の紫外線は、透過部を透過して収容部の外部へ放射される。このように、紫外線ランプを備えるだけでオゾンと紫外線とによって浄化をすることができ、しかも人体に有害な物質であるＮＯＸを発生させることがない。したがって、簡易な構成で安全に浄化をすることが可能になる。
【図面の簡単な説明】
【０００９】
【図１】本発明の実施の形態１に係る浄化装置の断面図である。
【図２】実施の形態１に係る紫外線ユニットの正面図である。
【図３】本発明の実施の形態２に係る育苗装置の断面図である。
【図４】本発明の一変形例に係る浄化装置の断面図である。
【図５】本発明の他の変形例に係る浄化装置の断面図である。
【発明を実施するための形態】
【００１０】
以下、本発明の実施の形態について、図面を参照しながら説明する。全図を通じて同一の要素には同一の番号を付す。また、以下の説明では、参照する図に従って「上」「下」「左」「右」を用いて方向を説明するが、これは理解を容易にするために用いるものであって、発明を限定する趣旨ではない。
【００１１】
（実施の形態１）
本発明の実施の形態１に係る浄化装置は、浄化対象物としての液体を浄化する装置である。ここで浄化は、主に酸化分解反応によって、好ましくない有機化合物や無機化合物を分解除去すること、菌、細菌、ウィルス類などを死滅又は減少させること、藻類の発生を抑制すること、悪臭を除去することなどのすべて又は一部を含む。
【００１２】
浄化装置１は、図１に示すように、液体が流動する浄化空間を内部に有する直方体の浄化容器１１を備える。
【００１３】
浄化容器１１は、浄化空間を形成し上方が開放した浄化槽１２と、浄化槽１２の上部に設けられる蓋体１３とを備える。浄化槽１２と蓋体１３とはそれぞれ、オゾン、紫外線に曝されても腐食しにくい材料が望ましく、金属製（例えば、ステンレス鋼など）、樹脂製（例えば、フッ素樹脂など）、又はガラス製であるとよい。
【００１４】
浄化容器１１はさらに、上下方向に延びる板状の仕切板１４を備える。仕切板１４は、浄化槽１２や蓋体１３と同様にオゾン、紫外線に曝されても腐食しにくい材料が望ましく、金属製（例えば、ステンレス鋼など）、樹脂製（例えば、フッ素樹脂など）、又はガラス製であるとよい。
【００１５】
仕切板１４の両端部（図１では手前方向及び奥行き方向に位置する端部）は、浄化槽１２との間で気体及び液体が流通しないように、浄化槽１２の内壁に密着して固定されている。仕切板１４の上端部は、蓋体１３との間で気体が流通しないように、蓋体１３に密着する。
【００１６】
なお、部材間で気体又は液体が流通しないように（気密に又は液密に）するために、その部材間には、ゴム、樹脂などを材料とするＯリングなどのシーリング部材が設けられてもよく、ゴム、樹脂などが塗布されていてもよい。また、その部材間は、ネジなどによって圧着されてもよい。気密に又は液密に設けられる部材間については、以下においても同様である。
【００１７】
仕切板１４の下端部は、浄化槽１２の内部の底面から所定の距離だけ離隔している。したがって、浄化空間は、仕切板１４によって、下方の流動路１５で連通する第１室１６と第２室１７とに区画される。
【００１８】
蓋体１３のうち第１室１６を形成する部分には、第１室１６と外部とを連通する流入路と導管口と通気口とのそれぞれを形成する流入部２２と導管部２３と通気部２４とが設けられる。通気部２４には、オゾンを分解して通気させるフィルタ２５が設けられている。
【００１９】
フィルタ２５は、交換を容易にするため、通気部２４を有するとともに上部が開閉自在なフィルタ取付ユニット２６内に設けられている。フィルタ取付ユニット２６は蓋体１３に気密に固定される。フィルタ２５は、第１室１６と外部とがフィルタ２５を介してのみ通気するように、フィルタ取付ユニット２６の通気部２４内にすき間なく充填されることが望ましい。
【００２０】
浄化槽１２の第２室１７を形成する部分であって仕切板１４と対向する部分の上方には、切り欠き部が設けられている。その切り欠き部を除く浄化槽１２の上端部は、蓋体１３と気密に密着する。切り欠き部とそれに対向する蓋体１３の部分とは流出部２１として、第２室１７と外部とを連通する流出路を形成する。
【００２１】
蓋体１３のうち第２室１７を形成する部分には、第２室１７と外部とを連通する設置口を形成する紫外線ユニット設置部３１が設けられる。紫外線ユニット設置部３１の設置口には、概ね円筒状の紫外線ユニット３２がその長手方向を上下に向けて挿通している。紫外線ユニット３２は、紫外線ユニット設置部３１との間で気体が流通しないように設けられている。
【００２２】
紫外線ユニット３２はその上部に外方へ突出した係止部３６を有する。係止部３６は紫外線ユニット設置部３１の周辺の蓋体１３に係合する。それによって、紫外線ユニット３２はその下方が第２室１７に、望ましくは図１に示すように第２室１７を流動する浄化対象の液体に所定の長さだけ浸漬するように位置付けられる。
【００２３】
紫外線ユニット３２の下方、すなわち第２室１７に位置する部分の周囲には、同図に示すように、紫外線と可視光の一方又は両方により光触媒反応が発現する光触媒部材３３が設けられる。
【００２４】
光触媒部材３３は、網状の部材であって、その表面に例えば酸化チタン材料を含む。このような光触媒部材３３は、例えば金属チタンの表面を酸化チタン化すること、酸化チタン材料を他の素材上に塗布することなどによって製造できる。
【００２５】
なお、光触媒部材３３は、紫外線（１００〜４００ｎｍ）で光触媒作用を引き起こす材料であってもよく、可視光で光触媒作用を引き起こす材料であってもよい。そのため、光触媒部材３３は、紫外線ユニット３２から照射される紫外線（１００〜４００ｎｍ）と可視光の一方又は両方が届く範囲に設けられるとよい。また、紫外線ユニット３２からの紫外線と可視光の一方又は両方が届く範囲に光触媒部材３３を設けるために、光触媒部材３３は取付部材などを介して紫外線ユニット３２から所定の範囲に位置するように紫外線ユニット３２に取り付けられてもよい。
【００２６】
ここから、図２を参照して、紫外線ユニット３２の構成について説明する。
【００２７】
紫外線ユニット３２は、殺菌作用を有する波長の紫外線を外部に放射するとともにオゾンを発生させるユニットである。紫外線ユニット３２は、同図に示すように、紫外線を放射する紫外線ランプ４１と、紫外線ランプ４１が収容される気密な収容空間４２を内部に有する収容部４３とを備える。
【００２８】
紫外線ランプ４１は、オゾン生成作用を有する波長の紫外線と殺菌作用を有する波長の紫外線とを含む光を放射するランプである。オゾン生成作用を有する波長は、例えば２００ｎｍ以下である。殺菌作用を有する波長は、例えば２６０ｎｍ前後（２００〜３２０ｎｍ）である。
【００２９】
なお、光触媒部材３３の光触媒作用は、上述のようにその材料に応じて、紫外線（１００〜４００ｎｍ）や可視光によって引き起こされる。したがって、オゾン生成作用を有する波長の紫外線と殺菌作用を有する波長の紫外線とは、光触媒部材３３の材料によっては、その光触媒作用にも寄与する。また、紫外線ランプ４１が放射する光がオゾン生成作用を有する波長と殺菌作用を有する波長以外の紫外線や可視光を含む場合、これらの波長の光は光触媒部材３３の材料によっては、その光触媒作用に寄与する。
【００３０】
紫外線ランプ４１は例えば、低圧紫外線ランプであり、熱陰極ランプ、冷陰極ランプ、外部電極ランプ、無電極ランプなどである。
【００３１】
紫外線ランプ４１の具体例として、ガスが封入されるＵ字管４５とＵ字管４５内で放電するための電極としてＮｉのカップ電極４６を備える冷陰極ランプを挙げることができる。Ｕ字管４５には、例えば水銀とＮｅとＡｒの混合ガスが封入される。封入される混合ガスの圧力は、例えば約２．６７〜１３．３３ｋＰａ（２０〜１００Ｔｏｒｒ）であり、望ましくは５．３３ｋＰａ（４０Ｔｏｒｒ）程度である。混合ガス中の水銀は例えば、点灯中の水銀蒸気圧が１００Ｐａ以下となるように封入されるとよい。
【００３２】
このような水銀ランプを紫外線ランプ４１に採用することによって、オゾン生成作用を有する約１８５ｎｍの波長の紫外線と殺菌作用を有する約２５４ｎｍの波長の紫外線と可視光とを含む光が紫外線ランプ４１から放射される。
【００３３】
Ｕ字管４５の材料は、オゾン生成作用を有する波長の紫外線と殺菌作用を有する波長の紫外線との両方を透過する性質を有するものである。具体的なＵ字管４５の材料は、例えば合成石英、溶融石英、又は、Ａｌ、Ｎａ、Ｋ、Ｌｉ、Ｃａ及びＢａの少なくとも１つを含むホウケイ酸ガラスを材料とするガラスである。特に、Ａｌ、Ｎａ、Ｋ、Ｌｉ、Ｃａ及びＢａの少なくとも１つを含むホウケイ酸ガラスは、加工の容易さの点で石英ガラスよりも望ましい。
【００３４】
収容部４３の材料は、紫外線ランプ４１が放射する紫外線と可視光を透過させるものである。具体的な収容部４３の材料は、例えば合成石英、溶融石英、オゾンレス石英、又は、Ａｌ、Ｎａ、Ｋ、Ｌｉ、Ｃａ及びＢａの少なくとも１つを含むホウケイ酸ガラスを材料とするガラスである。
【００３５】
望ましくは収容部４３の材料は、紫外線ランプ４１が放射する紫外線のうち、オゾン生成作用を有する波長の紫外線を遮断し、殺菌作用を有する波長の紫外線を透過させるものであり、例えばオゾンレス石英である。
【００３６】
なお、収容部４３の中には図示省略するが、紫外線ランプ４１の電極４６に電力を供給するための配線が設けられており、その配線は紫外線ランプ４１の電極４６に接続されている。また、収容部４３の内部又は外部には図示省略するが、インバータなどが設けられてよい。
【００３７】
収容部４３の上部には、収容空間４２と外部との間を連通する酸素導入口とオゾン排出口とのそれぞれを形成する酸素導入部５０とオゾン排出部５１とが設けられる。
【００３８】
給気部としての酸素導入部５０には、例えばシリコン製の導入管５２の一端が気密に取り付けられている。導入管５２の他端には、ポンプ５３（図１参照）が取り付けられている。ポンプ５３は、例えば電動で空気を昇圧して送り出す。これにより、空気が導入管５２、そして酸素導入部５０を介して収容空間４２に導入される。
【００３９】
排気部としてのオゾン排出部５１には、図２に示すように、例えばシリコン製の排出管５５がオゾン排出部５１との間で気密性を保持した状態で挿通されている。排出管５５の一端は、収容空間４２の下方にまで伸びる。排出管５５の他端には、図１に示すように、オゾン放出部としてのエアストーン５６が取り付けられている。エアストーン５６は、送り込まれた気体を数十μｍ〜数ｍｍ程度の小さい気泡にして液体中へ放出する部材であり、第１室１６の底に置かれている。
【００４０】
本実施の形態に係る浄化装置１の構成を説明した。ここから、浄化装置１によって液体が浄化される仕組みについて説明する。
【００４１】
浄化対象となる液体は図１を参照すると、概ね、流入部２２から浄化容器１１の第１室１６へ流入し、流動路１５を通って第２室１７へ流動し、流出部２１から外部へ流出する。  
【００４２】
また、ポンプ５３により昇圧された空気は、図２に示す紫外線ユニット３２の収容空間４２へ、導入管５２と酸素導入部５０とを介して導入される。収容空間４２では、紫外線ランプ４１から放射されるオゾン生成作用を有する波長の紫外線の働きによって空気中の酸素がオゾンになる。収容空間４２で生成されたオゾンは、オゾン排出部５１と排出管５５とを介して、図１に示すエアストーン５６から小気泡になって第１室１６に放出される。
【００４３】
したがって、第１室１６に流入した液体は、流動路１５へ至るまでにオゾンに曝される。オゾンは小気泡となっているので、オゾンと液体との接触面積は大きい。これによって、第１室１６を流動する液体を効率的にオゾンの働きによって浄化することができる。
【００４４】
第１室１６でオゾンの一部は液体に溶解する。液体に溶解せずに第１室１６の液体表面に達したオゾンは、第１室１６が上述のように気密に又は液密に設けられた蓋体１３と浄化槽１２と仕切板１４とで形成されており、流入部２２からは液体が流入してくるため、通気部２４に設けられたフィルタ２５を介して外部へ排出される。したがって、オゾンはフィルタ２５の働きによって分解され、少なくとも人体に害を及ぼさない程度に無毒化されて外部へ排出される。
【００４５】
第１室１６にてオゾンが溶解した液体は、流動路１５を通って第２室１７へ流動する。オゾン水となって第２室１７へ流動した液体には、第２室１７に配置された紫外線ランプ４１からの紫外線が照射される。収容部４３は上述のように、少なくとも殺菌作用を有する波長の紫外線を透過させる材料で作られているため、第２室１７において液体は収容部４３を透過した紫外線の作用により浄化される。
【００４６】
第２室１７の液体にはオゾンが溶存しており、オゾンの一部は紫外線ユニット３２からの紫外線の照射によってＯＨラジカルやＯラジカルに変化する。そのため、第２室１７の液体は、オゾンより酸化力が強く反応性の高いＯＨラジカルやＯラジカルの働きによっても浄化される。
【００４７】
さらに、光触媒部材３３に紫外線ユニット３２からの紫外線と可視光が照射されることによって光触媒部材３３の表面では電子と正孔が発生する。そのため、第２室１７の液体、特に光触媒部材３３の近傍を流動する液体は、光触媒部材３３の表面で発生した電子と正孔の働きによっても浄化される。
【００４８】
第２室１７で浄化された液体は、流出部２１を介して外部へ流出する。
【００４９】
このように流入部２２から流入した液体は、第１室１６で浄化され、さらに第２室１７での強い浄化力により浄化される。これによって、浄化前の液体に含まれていた細菌、ウィルス、カビなどの多くは死滅し、浄化前の液体に含まれた臭いは除去され、液体の透明性は浄化前よりも向上する。
【００５０】
以上、本発明の実施の形態１について説明した。
【００５１】
本実施の形態によれば、紫外線ランプ４１がオゾン発生作用と殺菌作用との両作用を備えるため、別途オゾン発生装置を設ける必要がない。そのため、浄化装置１の構成を簡易化することが可能となり、その結果、浄化装置１を安価でコンパクトに構成することが可能になる。
【００５２】
一般に無声放電方式でオゾンを発生させる場合、原料に大気を採用するときには有害なＮＯＸを発生させ、原料に酸素を採用するときにはランニングコストが高くなり、浄化装置１が大型化したり複雑化したりする。
【００５３】
本実施の形態では、紫外線によりオゾンを発生させるため、原料に大気を採用してもＮＯＸを発生させることはない。したがって、原料に大気を用いても安全にオゾンを発生させることができるので、安全な浄化装置１を実現することが可能になる。また、大気を用いることで、低いランニングコストを実現することが可能になる。
【００５４】
さらに、本実施の形態では、浄化空間は第１室１６と第２室１７とに区画されており、第１室１６で液体をオゾンに曝気する。そのため、液体を十分にオゾンに曝すことができ、オゾンによって液体を浄化することが可能になるとともに、多くのオゾンを液体に溶解させて第２室での浄化力を向上させることが可能になる。
【００５５】
一般にオゾンは高濃度であれば人体に有害である。例えば日本産業衛生学会によればオゾンの作業濃度管理基準は０．１ｐｐｍとされる。本実施の形態では、上述のように浄化空間を第１室１６と第２室１７とに気密に区画し、オゾンは第１室１６で放出される。そのため、第１室１６にて液体に溶解しなかったオゾンは、フィルタ２５を介して分解されてから浄化装置１の外部へ排出される。したがって、人体に害を及ぼす程に高濃度のオゾンが浄化装置１の外部へ排出されることはなく、オゾンの浄化作用を利用しつつ安全性の高い浄化装置１を実現することが可能になる。
【００５６】
以上、本発明の実施の形態１について説明したが、本実施の形態はこれに限定されない。  
【００５７】
例えば、蓋体１３は、第１室１６と第２室１７との上方を塞ぐ一体の蓋であるとしたが、蓋体１３は第１室１６の上方と第２室１７の上方とのそれぞれを塞ぐ別体の蓋で構成されてもよい。
【００５８】
蓋体１３は、第１室１６の上方のみに設けられてもよい。この場合、紫外線ユニット３２は例えば、取付具によって浄化槽１２に固定されてもよく、浄化槽１２の底に置かれてもよい。
【００５９】
流入部２２は、蓋体１３に限らず、例えば、第１室１６を形成する浄化槽１２の側壁に設けられてもよい。例えば浄化装置１の液体の流入と流出とにポンプなどが用いられてもよいが、ポンプなどを用いずに自然の流れによって液体の流入と流出とを実現する場合、流動する液体の上面は流出路で概ね規定されることになる。そのため、この場合の流入部２２は、流入路が流出路より上方に位置するように設けられるとよい。
【００６０】
本実施の形態に係る仕切板１４は仕切部の一例であって、仕切部は、下方に流動路１５を形成するとともに浄化空間を第１室１６と第２室１７とに区画する部材であればよく、板状の部材に限られない。また、浄化槽１２は、別体の第１浄化槽と第２浄化槽とで構成されてもよい。この場合、第１浄化槽が第１室１６を形成し、第２浄化槽が第２室１７を形成し、第１浄化槽と第２浄化槽とを接続する流動管によって第１室１６と第２室１７とを連通する流動路１５が形成されてもよい。
【００６１】
本実施の形態では紫外線ランプ４１がＵ字管４５を備えるとしたが、Ｕ字管４５に代えて直管、Ｌ字管、Ｗ字管など任意の形状の管が採用されてよい。また、紫外線ランプ４１は、Ｕ字管４５、直管、Ｌ字管、Ｗ字管など任意の形状の管を複数備えてもよい。収容空間４２に効率よく紫外線ランプ４１を収容することによって、紫外線ランプ４１の大きさを変えることなく、それが放射する光の量を増大させることができる。これにより、浄化装置１の浄化能力の向上やコンパクト化が可能になる。
【００６２】
本実施の形態で用いる紫外線ランプ４１は、それを構成するＵ字管の一部に蛍光体が塗布されていてもよい。蛍光体は、紫外線の波長を主に可視光に変える性質を有するものであってもよく、主に紫外線の波長を（例えば、２５４ｎｍから３５０ｎｍへ）変える性質を有するものであってもよい。
【００６３】
この場合、紫外線ランプ４１から紫外線とともに、塗布された蛍光体固有の波長の紫外線や可視光が放射される。収容部４３が可視光をも透過させるものであれば、光触媒部材３３は、紫外線と可視光とによって光触媒反応を発現する。
【００６４】
本実施の形態では収容部４３の材料は、紫外線ランプ４１が放射する光のうち殺菌作用を有する波長の紫外線と光触媒作用を引き起こす波長の紫外線とを透過させるものであるとしたが、収容部４３の全体がこのような材料で作られている必要はない。収容部４３は、紫外線ランプ４１が放射する光のうち殺菌作用を有する波長の紫外線と光触媒作用を引き起こす波長の紫外線とを透過させる透過部を一部に含むだけであってもよい。
【００６５】
この場合、透過部は、浄化槽１２を流動する液体に浸漬する位置、例えば収容部４３の下方に設けられる。流動する液体の上面が流出路で規定される場合には、透過部が流出路より下方に設けられることが望ましい。液体中で光を照射することで、紫外線及び溶存するオゾンによる浄化の効果を向上させることが可能になる。また、光触媒部材３３に強い光が照射されて、光触媒反応による浄化の効果を向上させることが可能になる。
【００６６】
また、透過部は、流出路より下方のすべてである方がより望ましい。液体中でより多くの光を照射することで、紫外線及び溶存するオゾンによる浄化の効果を向上させることが可能になる。また、光触媒部材３３にも強い光がより多く照射されて、光触媒反応による浄化の効果を向上させることが可能になる。
【００６７】
光触媒部材３３を設けない場合には、収容部４３は、紫外線ランプ４１が放射する光のうち殺菌作用を有する波長の紫外線を透過させる材料で作られた透過部を含めばよい。すなわち、収容部４３は、全体がそのような材料で作られてもよく、そのような材料で作られた透過部を一部に含むだけであってもよい。
【００６８】
なお、収容部４３がオゾン生成作用を有する波長の紫外線を透過させる場合、僅かな量ではあるが第２室１７においてもオゾンが発生する可能性がある。第２室１７でオゾンが発生した場合、そのオゾンの多くは流出部２１を介して浄化装置１の外部に放出されることになる。
【００６９】
一般にオゾンレス石英は、殺菌作用を有する波長の紫外線と可視光を透過させるが、オゾン生成作用を有する波長の紫外線を遮断する性質を有する。そのため、ガラスで収容部４３の材料にオゾンレス石英を採用することによって、第２室１７でのオゾンの発生を抑制することができ、浄化装置１から外部へオゾンが放出される可能性をさらに低減させることができる。したがって、浄化装置１の安全性を向上させることが可能になる。
【００７０】
収容部４３の外表面には、紫外線ランプ４１から放射される殺菌作用を有する波長の紫外線の透過を阻害しない程度に、例えばコーティングされた酸化チタンなど光触媒作用を有する素材が形成されてもよい。
【００７１】
収容部４３の外表面が、内部からの紫外線の透過を阻害しない程度に光触媒作用を有する素材を備える場合には、その光触媒作用によって、収容部４３の近傍の養液を浄化することに加えて、収容部４３の外表面に藻、菌などの汚れが付着することを防止することが可能になる。
【００７２】
酸素導入部５０を介して収容空間４２に導入される気体は、空気に限らず、酸素を含むガスであればよい。例えば高濃度の酸素を収容空間４２に導入する場合、ポンプ５３に代えて排気圧を調整することができる酸素ボンベが設けられてもよい。
【００７３】
実施の形態では、オゾン排出部５１が収容部４３の上部に設けられることとしたが、例えば、オゾン排出部５１は収容部４３の下部に設けられてもよい。この場合、排出管５５の一端がオゾン排出部５１に取り付けられるとよい。
【００７４】
さらに、本実施の形態ではオゾン放出部としてエアストーン５６を採用する例により説明したが、オゾン放出部はこれに限られない。オゾン放出部は、オゾン排出部５１から排出されたオゾンを用いてマイクロバブルを発生させるマイクロバブル発生装置と、そのマイクロバブル発生装置が発生させたマイクロバブルを液体中に放出する部材とにより構成されてもよい。
【００７５】
オゾンをマイクロバブルで放出することによって、エアストーン５６による場合よりもオゾンと液体との接触面積をさらに増加させることができる。その結果、第１室１６でのオゾンによる浄化の効果を高めることが可能になる。また、より多くのオゾンが溶存する液体を第２室１７へ流動させることができるので、第２室１７での溶存するオゾンに由来する浄化の効果を高めることが可能になる。
【００７６】
（実施の形態２）
本実施の形態では、実施の形態１に係る浄化装置１を水耕栽培に適用する例について説明する。
【００７７】
本発明の実施の形態２に係る育苗装置２０１は、図３にその断面の概要を示すように、支持部材２６１と、浄化装置１が内部に設置される養液槽２６２と、養液ポンプ２６３とを備える。支持部材２６１と養液槽２６２と養液ポンプ２６３とは例えば床に設置される。  
【００７８】
支持部材２６１は、三段の栽培棚２６４と、各栽培棚２６４の上方に設けられる照明器具２６５と、養液ポンプ２６３から上段の栽培棚２６４の左側端部まで伸びる浄化養液管２６６とを支持する。
【００７９】
栽培棚２６４の各々には、複数の孔を有する植物配置板２６７が内部に設けられる。植物配置板２６７には植物２６８が並べ置かれる。各栽培棚２６４の上方に設けられた照明器具２６５は、植物２６８の生育状態など応じて最も適した強さの光を照射するためにそれぞれの高さを調節することができる。
【００８０】
上段の栽培棚２６４は、その底部の右側端部から中段の栽培棚２６４の右側端部へ向けて下方へ伸びる養液導管２６９を備える。中段の栽培棚２６４は、その底部の左側端部から下段の栽培棚２６４の左側端部へ向けて下方へ伸びる養液導管２６９を備える。下段の栽培棚２６４は、その底部の右側端部から下方に設けられた浄化装置１の流入部２２へ伸びる汚液管２７０を有する。
【００８１】
養液槽２６２は、植物２６８を栽培するための養分を含む養液を蓄える槽である。養液ポンプ２６３は、養液槽２６２に蓄えられた養液を吸引して昇圧し、養液を昇圧液排出部２７１から排出する。浄化養液管２６６は、養液ポンプ２６３から排出された養液を上段の栽培棚２６４の左側端部へ導く管であって、その一端が養液ポンプ２６３の昇圧液排出部２７１に接続され、その他端が下方を向いた口を形成する注入部２７２を有する。注入部２７２は、上段の栽培棚２６４の左側端部の上方に設けられる。
【００８２】
ここまで、本実施の形態に係る育苗装置２０１の構成について説明した。ここから、育苗装置２０１における養液の流れについて説明する。
【００８３】
養液は、注入部２７２から上段の栽培棚２６４の左側端部に注がれ、上段の栽培棚２６４に設けられた植物配置板２６７の孔を介して下方に伸びた植物２６８の根に順次接触しながら、右方向へ流れる。
【００８４】
上段の栽培棚２６４の右側端部に到達した養液は、養液導管２６９を介して中段の栽培棚２６４の右側端部へ流れる。養液はさらに、中段の栽培棚２６４に並べ置かれた植物２６８の根に順次接触しながら、左方向へ流れる。
【００８５】
中段の栽培棚２６４の左側端部に到達した養液は、養液導管２６９を介して下段の栽培棚２６４の左側端部へ流れる。養液はさらに、下段の栽培棚２６４に並べ置かれた植物２６８の根に順次接触しながら、右方向へ流れる。
【００８６】
下段の栽培棚２６４の右側端部に到達した養液は、汚液管２７０を介して浄化装置１の流入部２２へ導かれる。流入部２２から浄化装置１の内部に流入した養液は、実施の形態１で説明したようにオゾン、紫外線、及び光触媒部材３３の働きによって浄化され、流出部２１から流出する。
【００８７】
流出部２１から流出した養液は、養液槽２６２に受け止められ、養液ポンプ２６３で昇圧されて浄化養液管２６６を介して上昇し、注入部２７２から上段の栽培棚２６４の左側端部に再び注がれる。このようにして、養液は、栽培棚２６４と浄化装置１とを通って循環する。
【００８８】
一般に養液中の菌、カビ、藻、有機物などは、植物２６８の病気の原因となることがあり、根に付着するなどによって植物２６８の成長を阻害することがあり、また悪臭の原因となることがある。また、植物２６８が食材に用いるものである場合には、大腸菌などの病原菌が溶液中に繁殖すると食の安全性を保てなくなる可能性がある。
【００８９】
これらを防ぐために、養液は適宜交換され、浄化養液管２６６、栽培棚２６４、養液導管２６９、汚液管２７０、養液槽２６２などといった養液と接触する部材は随時清掃される。
【００９０】
本実施の形態では、循環の途中で浄化装置１が養液を浄化する。そのため、養液の交換や養液と接触する部材の清掃の頻度を少なくすることができるので、手間が掛からず経済的な水耕栽培を実現することが可能になる。
【００９１】
植物２６８の根に付着する菌、カビ、藻、有機物などは上述のように、植物２６８の根が養分を吸うことを阻害することがある。本実施の形態では、根に付着する菌、カビ、藻、有機物などが低減するため、植物２６８は養分を十分に吸い続けることができ、植物２６８の生育速度を向上させることが可能になる。
【００９２】
浄化装置１の第２室１７にて養液を浄化した後のオゾンは酸素になり、その一部が溶け込んだ養液が流出部２１から流出する。そのため、浄化装置１からは通常よりも溶存酸素濃度が高い養液が流出する。また、溶液中の菌や有機物の減少も、溶存酸素の増加につながる。高酸素濃度の養液によって、植物２６８の生育速度を向上させることが可能になる。
【００９３】
さらに、浄化装置１から流出する養液には第１室１６にて溶解したオゾンの一部が残存している。そのオゾン自体の働きによっても植物２６８の生育速度を向上させることが可能になる。
【００９４】
このように浄化装置１を備えることによって、複数の要因で植物２６８の生育速度を向上させることが可能となり、効率的な水耕栽培を実現することが可能になる。
【００９５】
以上、本発明の実施の形態２について説明したが、本実施の形態はこれに限定されない。  
【００９６】
例えば、本実施の形態では三段の栽培棚２６４を備える育苗装置２０１を例に説明したが、浄化装置１によれば、育苗装置２０１が備える栽培棚２６４の配置や数にかかわらず養液を浄化することができる。また、育苗装置２０１が大きいなどにより高い浄化能力が要求される場合には、浄化装置１が複数備えられてもよいのはもちろんであるし、大きい浄化容器１１に紫外線ユニット３２が複数設けられてもよい。
【００９７】
本実施の形態では浄化装置１の応用例として養液を浄化する例を説明したが、浄化装置１が浄化する対象は養液に限られない。
【００９８】
浄化装置１が浄化する対象は例えば、実施の形態１と同様に、魚貝類を飼育又は養殖する水、飲料水や風呂水などの生活用水などであってもよい。
【００９９】
例えば魚貝類を飼育又は養殖する水に適用する場合には、浄化容器１１を備えない、すなわち紫外線ユニット３２と導入管５２とポンプ５３と排出管５５とエアストーン５６と必要に応じて光触媒部材３３とを備える浄化装置が採用されてもよい。この場合例えば、紫外線ユニット３２と排出管５５とエアストーン５６と必要に応じて光触媒部材３３とが水中に配置され、ポンプ５３が導入管５２を介して外気を供給するように配置されるとよい。
【０１００】
浄化装置１が浄化する対象は例えば、固体であってもよい。図４は、浄化容器３１１の中に配置された浄化対象物３１２を一定時間オゾンに曝すことによって浄化する浄化装置３０１の例を示す。この例では、浄化容器３１１は、フィルタ３２５が設けられた通気部３２４以外では、密閉されている。浄化容器３１１の中に設けられる紫外線ユニット３３２は、円筒形の密閉された収容部３４３とその中に設けられた紫外線ランプ３４１とを備える。
【０１０１】
収容部３４３は長手方向が水平に（横向きに）配置されており、その長手方向に対向する壁部のそれぞれに酸素導入部３５０とオゾン排出部３５１とが設けられている。オゾン排出部３５１は酸素導入部３５０よりも下方に設けられている。浄化対象物３１２は、浄化容器３１１内に設けられた、オゾンを通過させるための多数の孔を有する設置台３７３に載置されている。
【０１０２】
なお、図示しないが、浄化容器３１１内の浄化空間でオゾンを流動させるために、また収容部３４３内の収容空間３４２に酸素又は空気を導入してオゾンを生成し排出するために、強制的に気体を流動させるファンなどが設けられてもよい。
【０１０３】
これによって、紫外線ユニット３３２でオゾンが生成され、そのオゾンは図４に矢示する方向に流動して浄化空間を循環する。そのため、浄化対象物３１２を収容した浄化容器３１１を密閉した状態で一定時間、放置することで、浄化対象物３１２はオゾンに曝され、また紫外線の照射を受けて浄化される。一定時間経過した後は、浄化容器３１１の中のオゾンをフィルタ３２５を介して図示しないファンなどを用いて外部へ放出してから浄化容器３１１の蓋を開けることで、操作する人がオゾンを吸い込むことなく安全に浄化対象物３１２を浄化容器３１１から取り出すことができる。
【０１０４】
浄化装置１が浄化する対象は例えば、気体であってもよい。図５は、浄化装置４０１によって浄化対象物としての空気を浄化する例を示す。同図に示すように、浄化容器４１１の中には紫外線ユニット４３２が、図４を参照して説明した紫外線ユニット３３２と同様に横向きに配置されている。浄化容器４１１内の浄化空間が流入部４２２及び流出部４２１を除いて外部と連通しないように、浄化容器４１１は密閉されている。流入部４２２は、紫外線ユニット４３２の酸素導入部４５０に対向する浄化容器４１１の壁部に設けられており、ファン４７４を有する。ファン４７４によって浄化空間に外気が継続的に流入する。流出部４２１は、紫外線ユニット４３２のオゾン排出部４５１に対向する浄化容器４１１の壁部に設けられており、フィルタ４２５を有する。浄化容器４１１はさらに、紫外線ユニット４３２の上方に位置する内壁に光触媒部材４３３を備える。
【０１０５】
このような構成を備えることによって、流入部４２２から浄化空間に流入した外気は、オゾン、紫外線、及び光触媒部材４３３の働きによって浄化され、図５に矢示するように流動して流出部４２１から流出する。流出部４２１にはフィルタ４２５が設けられているため、オゾンはフィルタで分解されて流出する。したがって、安全に空気を浄化することが可能になる。
【０１０６】
以上、本発明の実施の形態及び変形例について説明したが、本発明は、実施の形態及び変形例に限定されるものではなく、例えば各実施の形態及び各変形例を適宜組み合わせた態様、またそれらと均等な技術的範囲をも含む。
【０１０７】
上記の実施の形態の一部又は全部は、以下の付記のようにも記載されうるが、以下には限られない。
【０１０８】
（付記１）
オゾン生成作用を有する波長の紫外線と殺菌作用を有する波長の紫外線とを放射する紫外線ランプと、
前記殺菌作用を有する波長の紫外線を透過させる透過部を含み、前記紫外線ランプが内部の収容空間に収容される収容部と、
酸素を含む気体を前記収容空間に供給する給気口を前記収容部に形成する給気部と、
前記紫外線ランプが放射する紫外線のオゾン生成作用により前記収容空間で生成されるオゾンを排出する排出口を前記収容部に形成する排気部とを備える
ことを特徴とする浄化装置。
【０１０９】
（付記２）
前記紫外線ランプは金属蒸気を封入した放電ランプである
ことを特徴とする付記１に記載の浄化装置。
【０１１０】
（付記３）
前記紫外線ランプは冷陰極ランプである
ことを特徴とする付記２に記載の浄化装置。
【０１１１】
（付記４）
前記紫外線ランプが有する放電管の材料又は前記透過部の材料は、合成石英、溶融石英、オゾンレス石英、又は、Ａｌ、Ｎａ、Ｋ、Ｌｉ、Ｃａ及びＢａの少なくとも１つを含むホウケイ酸ガラスである
ことを特徴とする付記１から３のいずれか１つに記載の浄化装置。
【０１１２】
（付記５）
浄化対象物が配置され又は流動する浄化空間を形成する浄化容器をさらに備え、
前記透過部は前記浄化空間に配置される
ことを特徴とする付記１から４のいずれか１つに記載の浄化装置。
【０１１３】
（付記６）
前記排気部から排出されたオゾンを前記浄化空間に放出するオゾン放出部を備え、
前記浄化容器は、分離された第１室及び第２室と、当該第１室及び第２室を連通する流動路とを含む浄化空間を形成し、
前記オゾン放出部は前記第１室に設けられ、
前記紫外線ランプ及び前記収容部の前記透過部は前記第２室に設けられる
ことを特徴とする付記５に記載の浄化装置。
【０１１４】
（付記７）
前記オゾン放出部は、前記排気部から排出されたオゾンを気泡にして、前記浄化空間に放出するエアストーン又はマイクロバブル発生装置を備える
ことを特徴とする付記６に記載の浄化装置。
【０１１５】
（付記８）
前記浄化容器は、
前記第１室と外部とを連通する連通部と、
前記連通部に設けられ、オゾンを分解するフィルタとを備える
ことを特徴とする付記６又は７に記載の浄化装置。
【０１１６】
（付記９）
前記浄化容器は、
前記浄化対象物である流体を外部から前記第１室に流入させる流入部と、
前記流体を前記第２室から外部へ流出させる流出部とを備える
ことを特徴とする付記６から８のいずれか１つに記載の浄化装置。
【０１１７】
（付記１０）
前記収容部の周囲に設けられており、紫外線又は可視光が照射されることによって光触媒反応が発現する光触媒部材をさらに備える
ことを特徴とする付記１から９のいずれか１つに記載の浄化装置。
【０１１８】
（付記１１）
前記光触媒部材は酸化チタン材料を表面に含む
ことを特徴とする付記１０に記載の浄化装置。
【符号の説明】
【０１１９】
１，３０１，４０１  浄化装置
１１，３１１，４１１  浄化容器
１２  浄化槽
１３  蓋体
１４  仕切板
１５  流動路
１６  第１室
１７  第２室
２１，４２１  流出部
２２，４２２  流入部
２３  導管部
２４，３２４  通気部
２５，３２５，４２５  フィルタ
２６  フィルタ取付ユニット
３１  紫外線ユニット設置部
３２，３３２，４３２  紫外線ユニット
３３，４３３  光触媒部材
３６  係止部
４１，３４１  紫外線ランプ
４２，３４２  収容空間
４３，３４３  収容部
４５  Ｕ字管
４６  電極
５０，３５０，４５０  酸素導入部
５１，３５１，４５１  オゾン排出部
５２  導入管
５３  ポンプ
５５  排出管
５６  エアストーン
２０１  育苗装置
２６１  支持部材
２６２  養液槽
２６３  養液ポンプ
２６４  栽培棚
２６５  照明器具
２６６  浄化養液管
２６７  植物配置板
２６８  植物
２６９  養液導管
２７０  汚液管
２７１  昇圧液排出部
２７２  注入部
３７３  設置台
４７４  ファン
【図１】
2013103184.tif 000003
【図２】
2013103184.tif 000004
【図３】
2013103184.tif 000005
【図４】
2013103184.tif 000006
【図５】
2013103184.tif 000007